(57)【要約】  発光ブライドルカテーテル設置システムは、前端部及び後端部を有する可撓部材を含み、第１の磁石が可撓部材の前端部に結合され、並びに前端部及び後端部を有する回収部材を含み、２つの非接触な第２の磁石が回収部材の前端部に結合される。発光部材は、可撓部材又は回収部材のうちの１つに結合され、かつ発光部材は、第１の磁石が第２の磁石に接触すると、発光部材が発光することを可能にする、スイッチを有する電子回路に結合される。【選択図】図１１
2016511112.tif 000002
【特許請求の範囲】
【請求項１】
発光ブライドル設置システムであって、
前端部及び後端部を有する可撓部材、
前記可撓部材の前記前端部に結合された少なくとも１つの第１の磁石、
前端部及び後端部を有する回収部材、
前記回収部材の前記前端部に結合された少なくとも１つの第２の磁石、及び
前記可撓部材の前記前端部若しくは前記後端部又は前記回収部材の前記前端部若しくは前記後端部のうちの少なくとも１つに結合された発光部材であって、前記少なくとも１つの第１又は第２の磁石のうちの１つに結合され、かつ前記少なくとも１つの第１の磁石が前記少なくとも１つの第２の磁石に接触したときに、前記発光部材が発光することを可能にするスイッチを有する電子回路に結合された、発光部材を備える、システム。
【請求項２】
前記可撓部材にしっかりと結合されたテープ部分を更に備える、請求項１に記載のシステム。
【請求項３】
前記可撓部材は、抗生物質の被膜、静菌性の被膜、抗菌性の被膜、親水性の被膜、又はそれらの組み合わせを含む、請求項２に記載のシステム。
【請求項４】
前記発光部材はＬＥＤライトであり、かつ蓄電池を更に備える、請求項１に記載のシステム。
【請求項５】
前記発光部材は前記回収部材の前記後端部に結合され、かつ前記少なくとも１つの第２の磁石は、前記回収部材の前記前端部において並列して設置された２つの磁石を備える、請求項１に記載のシステム。
【請求項６】
前記２つの磁石は、互いに接触しないように互いから分離される、請求項５に記載のシステム。
【請求項７】
前記可撓部材の患者の中への挿入を補助するための、前記可撓部材を硬くするために前記可撓部材の中へ挿入されるロッドを更に備える、請求項１に記載のシステム。
【請求項８】
発光設置システムであって、
端部に結合された少なくとも１つの第１の磁石を有する第１のプローブ、
端部に結合された少なくとも１つの第２の磁石を有する第２のプローブ、
前記第１のプローブ及び前記第２のプローブのうちの１つに結合された発光部材、並びに
前記発光部材に結合され、かつ前記少なくとも１つの第１の磁石又は前記少なくとも１つの第２の磁石に結合された、スイッチを有する電子回路を備え、互いに結合するように前記少なくとも１つの第１の磁石が前記少なくとも１つの第２の磁石に接触したときに、前記電子回路の前記スイッチが閉じられ、前記発光部材が発光する、システム。
【請求項９】
患者の鼻腔内での設置のために、前記第１のプローブ又は前記第２のプローブのうちの１つに結合された可撓部分を更に備える、請求項８に記載のシステム。
【請求項１０】
前記発光部材はＬＥＤランプである、請求項８に記載のシステム。
【請求項１１】
前記少なくとも１つの第２の磁石は、前記第２のプローブの前端部において非接触な関係で並列して位置決めされた２つの磁石を備え、かつ前記発光部材は、前記第２のプローブの後端部において前記第２のプローブに結合され、ワイヤーが前記２つの磁石から前記発光部材へ延伸する、請求項８に記載のシステム。
【請求項１２】
前記第１のプローブは可撓性を有し、かつ端部に結合された１つの磁石を有し、かつ前記第２のプローブは実質的に硬く、かつ端部に結合された２つの磁石を有し、前記２つの磁石は通常は接触しないように互いに関して位置決めされる、請求項８に記載のシステム。
【請求項１３】
前記発光部材は、前記２つの磁石が設置された前記端部とは反対側の前記第２のプローブの端部に結合される、請求項１２に記載のシステム。
【請求項１４】
前記発光部材は、前記２つの磁石が位置決めされた前記端部において前記第２のプローブに結合される、請求項１２に記載のシステム。
【請求項１５】
患者の鼻腔の中へブライドルカテーテルを配置する方法であって、
磁石が結合された第１の端部、及び第２の端部を有する、可撓部材を提供すること、
磁力を有する第１の端部、及び第２の端部を有する回収部材を提供することであって、前記第１の端部が前記可撓部材の前記磁石に結合すると発光するように、発光部材が前記磁力を有する第１の端部、又は前記第２の端部に作動可能に結合される、回収部材を提供すること、
前記可撓部材の前記第１の端部を、患者の第１の鼻孔の中へ、かつ後部鼻咽頭の中へ挿入すること、
前記可撓部材の前記第１の端部が前記回収部材の前記第１の端部に磁気的に結合されたことを表示するために前記発光部材が発光するまで、前記回収部材の前記第１の端部を、前記患者の第２の鼻孔の中へ挿入し、かつ前記後部鼻咽頭の中へ挿入すること、
前記回収部材、及び前記可撓部材の少なくとも一部分を、前記第２の鼻孔から引き出すこと、及び
前記可撓部材の一部分が前記鼻腔内に残るように、前記可撓部材を切断することを含む、方法。
【請求項１６】
前記可撓部材は、第１の部分及び第２の部分を含み、前記第２の部分は前記可撓部材の前記第２の端部に配置されたテープ部分であり、
前記テープ部分が前記鼻腔内に位置決めされるまで、前記可撓部材の前記第１の部分の全体を前記第２の鼻孔から引くこと、及び前記テープ部分のみが前記鼻腔内に残るように前記第１の部分を前記テープ部分から切断することを更に含む、請求項１５に記載の方法。
【請求項１７】
前記可撓部材を前記鼻孔及び後部鼻咽頭の中へ設置するために、ロッドが前記可撓部材の中へ挿入され、かつ前記発光部材が発光したときに、前記ロッドを前記可撓部材から除去することを更に含む、請求項１５に記載の方法。
【請求項１８】
前記可撓部材の前記端部の両方を互いに固定することを更に含む、請求項１５に記載の方法。
【請求項１９】
前記可撓部材を別の装置に結合することを更に含む、請求項１８に記載の方法。
【発明の詳細な説明】
【技術分野】
【０００１】
本発明は、患者にブライドルカテーテル（ｂｒｉｄｌｅ  ｃａｔｈｅｒｔｅｒ）を設置する際に助けとなる発光する端部を有するブライドルカテーテル、及び発光する端部を使用して患者にブライドルカテーテルを挿入する方法に関する。
【背景技術】
【０００２】
時期尚早な引き出しを妨げるために、経鼻栄養チューブは、しばしば、多様なブライドリングシステム（ｂｒｉｄｌｉｎｇ  ｓｙｓｔｅｍ）を使用して適切な位置に固定される。両端部が下咽頭内に配置されるまでブライドルの両端部が別々の鼻孔に挿入される、Ｍｅｅｒの米国特許番号４，７７８，４４８によって教示されるような、先行技術のシステムは、患者内に配置することが困難であり、かつ不快感をもたらした。その後、ブライドルの各々の端部は、鉗子を使用して患者の口を通して引き出され、かつ互いに結合されてブライドルを形成する。
【０００３】
この技術に対する改良は、鼻腔チューブを固定するために部材のような可撓性のチューブをブライドルとして使用する、Ｋｉｒｎの米国特許番号６，６３１，７１５のブラドルシステムによって教示される。可撓部材は、患者の鼻の第１の鼻孔の中へ挿入される磁力を有する端部を有し、かつ磁力を有するプローブが、患者の鼻の第２の鼻孔の中へ挿入される。可撓部材及び磁力を有するプローブの両方は、鼻中隔の後縁をちょうど超えるように挿入される。磁力を有するプローブは、可撓部材を回収し、可撓部材を鼻中隔の周りで輪状にする。一旦、可撓部材の磁力を有する端部が第２の鼻孔から引かれ、かつトリミングされると、可撓部材は、患者内に維持され、かつ例えば、鼻腔チューブを保持するためのブライドルとして働く。
【０００４】
別のタイプのブライドルシステムが、Ｂａｌｌａｎｔｙｎｅの米国特許番号５，１８５，００５において開示される。Ｂａｌｌａｎｔｙｎｅは、ブライドルを患者の後鼻中隔の周りに配置するために、２つの磁力を有する挿入具を使用する。第１の挿入具及び第２の挿入具が後鼻中隔の後ろで磁気的に結合するまで、ブライドルが取り付けられた第１の挿入具が患者の第１の鼻孔の中へ挿入され、かつ第２の挿入具が患者の第２の鼻孔の中へ挿入される。一旦、結合されると、第１の挿入具は第１の鼻孔から除去され、ブライドルを第２の挿入具に結合させる。その後、第２の挿入具は、第２の鼻孔から除去され、そのことは、ブライドルを第１の鼻孔から後鼻中隔の周りに引き、かつ第２の鼻孔から引き出す。
【０００５】
その開示内容の全体が本明細書において参照されることによって組み込まれる、本出願人であるＷｉｌｌｉａｍｓの先の特許、米国特許番号７，５３４，２２８において、出願人は、可撓部材の一端部に取り付けられた磁石を有する可撓部材、及び可撓部材に取り付けられた臍テープ（ｕｍｂｉｌｉｃａｌ  ｔａｐｅ）を使用する装置を開示する。可撓部材は、挿入具を使用して第１の鼻孔の中へ挿入され、挿入具は、可撓部材を鼻腔の中へ挿入するために十分な程度に硬くする。磁力を有する端部を有する回収具は、第２の鼻孔の中へ挿入され、かつ可撓部材の磁石と結合する。一旦、回収具と可撓部材とが患者の後鼻中隔の後ろで磁気的に結合されると、回収具は第２の鼻孔から引き出され、かつ可撓部材は鋤骨の周りに追随し、かつ第２の鼻孔から出て、可撓部材に付随する臍テープを引く。可撓部材は、第２の鼻孔から完全に引き出されて、臍テープを鋤骨の後ろの位置に残す。
【発明の概要】
【０００６】
例示的な発光ブライドル設置システム及び方法が開示され、かつクレームされる。
【図面の簡単な説明】
【０００７】
【図１】アセンブリングされた形態における本発明の第１の例示的なブライドル設置システムの斜視図である。
【図２】発光部材を組み込んだ回収部材の斜視図である。
【図３】可撓部材の斜視図である。
【図４】テープ部分の斜視図である。
【図５】可撓部材の第１の端部の中へ挿入される磁石の斜視図である。
【図６】テープ部分を可撓部材の中へ通すために使用されるガイドの斜視図である。
【図７】可撓部材の中へ挿入されたガイドを示す斜視図であり、テープ部分はガイドの第１の端部に取り外し可能に結合されている。
【図８】テープ部分を可撓部材の中へ通しているガイドを示す斜視図である。
【図９】可撓部材を通されたテープ部分を示す斜視図である。
【図１０】可撓部材の端部内に設置された磁石を有する可撓部材を通されたテープ部分を示す斜視図である。
【図１１】例示的な発光部材を示す、可撓部材に結合された回収部材の部分断面図である。
【図１２】代替的な例示的発光部材を示す、可撓部材に結合された回収部材の部分断面図である。
【図１３】患者の鼻孔の中に挿入された可撓部材及び回収部材を示す斜視図である。
【図１４】可撓部材の回収を示す斜視図である。
【図１５】可撓部材が除去された後の患者の鋤骨の後ろに設置されたテープ部分、患者内に設置された鼻腔チューブ、及びテープを固定するために取り付けられたクリップの留め具を示す斜視図である。
【図１６】患者内における配置の後、並びにテープ部分及び鼻腔チューブをクリップに固定した後の、テープ部分の斜視図である。
【発明を実施するための形態】
【０００８】
ブライドルを患者の鼻腔内に設置する従来の方法において、患者の後鼻中隔内で第１のプローブを第２のプローブと磁気的に結合した時を決定するために、フィードバックが使用されてきた。そのようなフィードバックは、振動及び／又は騒音の態様であった。例えば、磁石は互いに「カチッと」噛み合い、かつこれはブライドルを設置している医師によって聞かれ得る。しかしながら、幾つかの場合において、周囲の騒音レベルが高い可能性があり、磁石が係合する時の「カチッ」を医師が聞くことを困難にする。例示的なシステムは、磁石が互いに接触する時に生じる、発光部材からの光信号を組み込み、それによって有効なフィードバックを設置者に提供する。発光する要素は、２つの磁石が係合した時に医師によって見られ得るように、プローブの１つの端部に位置決めされ得る。医師が光信号を見る場合に、医師は、磁石が結合し、かつその後、ブライドルを設置するために後鼻中隔を通してブライドルを引くことができることを保証され得る。
【０００９】
それに加えて、臍テープの無菌状態が最近のブライドル設置に関連して疑問視されてきた。本明細書において議論される例示的なブライドルシステムは、臍テープ内の構成物質及び／又は抗菌剤、同様に、抗生物質、抗菌剤、及び／又は静菌性化合物を有する高分子担体を組み込むことができる。臍テープは、濡れた時に滑り易くする親水性被膜で被覆され得る。親水性被膜は、鼻を通して臍テープを引くことをより容易にする。現在、潤滑ゼリーが、臍テープ及びシステムの様々な部品に適用されている。親水性被膜は、また、望ましければ、システムの他の構成要素に適用されることができる。親水性皮膜の使用は、潤滑ゼリーを使用する必要性を避けることができ、更に、利便性と共に無菌性を改良する助けとなることができる。任意の既知の親水性被膜が、使用され得る。臍テープがブライドルと関連して議論される一方で、他のタイプの部材が鼻の中に留まるように使用され得る。
【００１０】
今度は図面を参照すると、例示的な発光ブライドルシステムが描かれている。図１は、その最終アセンブリング状態にあるブライドルカテーテル１０の第１の実施形態を示している。ブライドルカテーテル１０は、可撓部材１２、磁石１４、テープ部分１６、及びロッド１８を含む。図２は、患者の鼻孔内にある間に、可撓部材１２を回収するために使用される回収部材２０を示している。回収部材２０は、磁石を有する第１の端部２２、及び複数の表示マーク２４を含む。表示マーク２４は、回収部材２０の挿入の深さを測定するために使用され得る。
【００１１】
回収部材２０は、回収部材２０が患者の鼻孔の中へ深く入りすぎることを防ぐ助けとなる、円錐形状の又は拡大された部分５６を含む。発光部材３８は、拡大部分５６の後端部３９に結合される。拡大された部分５６は、望ましい任意の形を有し得、かつ必ずしも拡大される必要はない。
【００１２】
図３から図５において、図１のブライドルカテーテルの構成要素が描かれている。可撓部材１２は、第１の端部３２及び第２の端部３４を有する中空で可撓性のチューブ３０を含む。可撓部材１２は、当該技術分野で一般に知られており、かつ音響工学的な判断で選ばれた任意のタイプの可撓部材で作られることができる。チューブは、必ずしも中空である必要はない。示された実施例において、可撓部材１２はシリコンから作られる。可撓部材１２は、患者の鼻孔の中に挿入された際に、可撓部材１２の深さを測定する、複数の表示マーク３６を含み得る。図４において示されるテープ部分１６は、第１の端部２６及び第２の端部２８を含む。テープ部分１６は、テープではない他の構成を有し得るが、臍テープなどの、当該技術分野で一般に知られている、患者の中へ挿入されるために適切な任意の紐状の材料であり得る。磁石１４は、強力なレアアースタイプの磁石であり、かつ既知のやり方において可撓部材１２の第１の端部３２内に固定される。例えば、磁石１４は、可撓部材１２の壁によって磁石上にかけられている圧力により閉じ込められるように、可撓部材の開いた端部の中へ挿入されることができる。磁石１４は、代替的に、磁石１４が可撓部材から除去されることができない限り、別のやり方において可撓部材に取り付けられ得る。
【００１３】
図６から図１３を参照すると、テープ部分１６を有する可撓部材１２のアセンブリングが描かれている。図６は、第１の端部４２及び第２の端部４４を有するワイヤー４１の形態におけるガイド４０を示している。第１の端部４２は、テープ部分１６の第１の端部２６をガイド４０に取り付ける取付手段４６を有する。取付手段４６は、可撓部材１２の中空の内部を通してテープ１６を引くために使用される。ハンドル又はノブがワイヤー４１の第２の端部４４に取り付けられ、かつアセンブリング工程の間にガイド４０を握るために使用される。
【００１４】
図７において示されるように、ガイドの第１の端部４２は、ガイド４０の第１の端部４２が可撓部材１２の第２の端部３４を超えて延伸するまで、可撓部材１２の第１の端部３２の中へ挿入される。その後、図８に示されるように、テープ部分１６の第１の端部２６は、ガイド４０の第１の端部４２において取付手段４６に取り付けられ、かつ可撓部材１２を通される。その後、図９に示されるように、ガイド４０は、テープ部分１６の第１の端部２６から取り外され、テープ部分１６の少しの部分が、可撓部材１２の第１の端部３２を通り過ぎて延伸するように残される。その後、磁石４８ａ、４８ｂが、可撓部材の端部の中へ設置される。磁石４８ａ、４８ｂと可撓部材のチューブとの間の密着のために、テープ１６の端部２６は可撓部材内に閉じ込められる。任意のはみ出したテープ１６は、望ましければトリミングされ得る。可撓部材１２の第１の端部３２内に設置された磁石４８ａ、４８ｂを有する可撓部材１２が、図１０において描かれている。
【００１５】
図２との関連で上述されたように、例示的なブライドルシステムは発光部材３８を含み、その構成の実施例が図１１において示されている。発光部材３８は、回収部材２０内か又は可撓部材１２内のいずれかにおいて設置され得る。本明細書において描かれる実施例は、発光部材３８を含み、それはＬＥＤライト３８であり得、回収部材２０の第２の端部すなわち後端部３９内に設置される。回収部材２０の端部３９内にＬＥＤ３８を設置することによって、ＬＥＤ３８は、ブライドルの設置の間に鼻腔を通して引かれる必要がなく、そのことは、望ましければ、より大きなＬＥＤ３８が使用されることを可能にする。図１１は、回収部材２０の前端部内に設置された２つの磁石４８ａ、４８ｂを描いている。磁石４８ａ、４８ｂは、分割壁５０によって又は任意の既知のやり方において、互いから分離されている。例えば、磁石４８ａ、４８ｂは、各々、それらが回収部材２０の端部内に設置された場合に、互いに接触することができないように外側の高分子被膜を用いて被覆され得る。各々の磁石４８ａ、４８ｂは、回収部材２０の内側に位置決めされたワイヤー５２に結合されている。回収部材２０のワイヤー５２、発光部材３８、及び磁石４８ａ、４８ｂ、並びに可撓部材１２の磁石１４は、共に、通常は開いているスイッチを有する（図示せぬ）電子回路を形成する。図１１において示されるように、回収部材２０の２つの磁石４８ａ、４８ｂが可撓部材１２の磁石１４と接触する場合に、磁石４８ａ、４８ｂ、１４は、回路のスイッチを閉じるように働き、かつ発光部材３８がライトアップして、磁石４８ａ、４８ｂ、１４が互いに結合し、かつ臍テープの設置が完了できたことを設置者に表示する。磁気スイッチは、ＬＥＤの発光部材３８を起動するために使用され得る。当業者によって知られているように、他のタイプのスイッチが使用され得る。回路の完成を可能にする任意のタイプの装置が使用され得る。
【００１６】
磁石４８ａ、４８ｂ、１４は、磁石が設置プロセスの間に結合したままであることを可能にするのに十分な強度を有する任意の既知のタイプの磁石であり得る。代替的に、金属製の部材と結合する磁石が使用され得る。例えば、磁石４８ａ、４８ｂは、磁石１４の代わりに磁力を有する部材１４と結合し得る。
【００１７】
ＬＥＤライト３８は上述された。当業者によって知られているように、他のタイプのライトが代替的に使用され得る。蓄電池５４が、ＬＥＤライト３８に電力供給するために回収部材２０の端部の内側で使用され得る。磁石４８ａ、４８ｂ、１４は、任意の既知のやり方において、可撓部材１２及び回収部材２０の端部に取り付けられ得る。現在、描かれている実施例において、磁石４８ａ、４８ｂは、回収部材２０を形成する中空のチューブの端部の中へフィットされるが、任意の既知のやり方で取り付けられてもよい。代替的に、ＬＥＤライト３８が類似のやり方で可撓部材１２内に設置されることができ、その後、ＬＥＤライト３８は、一旦、回収部材２０及び可撓部材１２の磁石４８ａ、４８ｂ、１４が結合したことを表示するように発光すると、鼻腔を通して引かれ得、又は引かれる前に切り離され得る。
【００１８】
図１２は、ＬＥＤライト３８が回収部材２０の挿入端部５８内に設置される代替的な実施例を描いている。この実施例において、ＬＥＤライト３８は、電子回路のスイッチを閉じるために磁石４８ａ、４８ｂが可撓部材の磁石１４と接触する場合に、発光する。ＬＥＤライト３８は、患者の皮膚を通して、又は患者の喉内で見ることができる。ＬＥＤライト３８は、この例において、鼻腔の中へ容易に挿入されることができるように、十分に小さい。それに加えて、ＬＥＤライト３８は、患者の不快感又は損傷の原因とならないように十分に温度が低いままでなければならない。描かれている実施例において、ＬＥＤライト３８は、２つの磁石４８ａ、４８ｂに隣接して回収部材２０の端部５８内に包含される。２つの磁石４８ａ、４８ｂは、ワイヤー５２を介してＬＥＤライト３８に結合され、かつ蓄電池５４は回収部材２０内に設置されるように示されている。各々の構成要素のサイズは、鼻腔の中へ設置されるために適切である必要がある。ＬＥＤライト以外の他のタイプのライトが、使用されてもよい。任意の既知の回路が、ＬＥＤライトを発光させるために使用されてもよい。任意のタイプのスイッチが使用されてもよい。２つの磁石が必要とされない例、及び単一の磁石が使用され得る例が存在し得、かつクレームされた実施例は任意のそのような例を包含する。
【００１９】
ブライドルカテーテルは、任意の既知のやり方において設置され得る。図１３から図１６は、ブライドルカテーテル１０を患者の中に配置するための設置プロセスを描いている。可撓部材１２の第１の端部３２は、患者の第１の鼻孔の中へ挿入され、かつ強化ロッド１８を使用して後部鼻咽頭へと下方に引き伸ばされる。強化ロッドは、最初は、可撓部材１２の中へ十分に挿入され得るが、可撓部材１２の端部３２がわずかに湾曲することを可能にするために、可撓部材１２が後部鼻咽頭に入る際にわずかに引き戻され得る。回収部材２０の磁力を有する遠位端部２２は、第２の鼻孔の中へ挿入され、かつまた、後部鼻咽頭へと下方に引き伸ばされる。回収部材２０が後部鼻咽頭に到達すると、磁力を有する遠位端部２２は、可撓部材１２の第１の端部３２内に配置された磁石１４を引き付け、磁力を有する端部同士が互いに接続する又はカチッと留まることをもたらす。図１４において示されるように、磁力を有する端部同士が接続すると、回収部材２０のＬＥＤ３８が発光する。これは、磁石が互いに結合し、かつ設置がはかどっていることを医師に合図する。その後、ロッド１８は、可撓部材１２から除去され、かつ回収部材２０は、第２の鼻孔から引き出され、それによって、可撓部材１２が、患者の鼻を通して引かれ、かつテープ部分１６のみが患者内に残るまで第２の鼻孔から引き出される。その後、可撓部材１２は、テープ部分１６から切り離され、テープ部分１６は、鋤骨１０２の周りに輪を形成するように患者の両方の鼻孔を通した状態で残される。
【００２０】
回収部材２０及び可撓部材１２が第２の鼻孔から除去された後に、テープ１６のみが鋤骨の後ろに設置された状態で残され、鼻腔チューブ１００が設置され得る。その後、テープ部分１６及び鼻腔チューブ１００の両方の端部は、図１５及び図１６に示されるように、クリップ８０を用いて互いに留められ得る。クリップ８０は、閉じられ、かつ一緒に留められ得る。望ましければ、テープ部分１６の端部は、付加的な安全性のために結ばれ得る。任意のタイプのクリップが、臍テープの両端部を互いに結合するために使用され得る。クリップ８０は、例示的な目的のみにおいて示されている。代替的に、クリップは必要とされず、かつ臍テープ１６は、クリップなしに互いに結ばれ得、又は直接的に別の装置に結合され得る。
【００２１】
回収部材２０が、要素２２及び２４のみを含むように図２において示されている一方で、回収部材は、また、要素１４、３６、及び第２のロッド１８を含む第２の可撓部材１２の形態をとり得ることが考慮されることは、注意されるべきである。この実施形態において、回収部材は、より高い可撓性を有し得、小児科の用途において殊に有利であり得る。
【００２２】
発光ブライドル設置システムは、可撓部材及び回収部材を含む。可撓部材は、前端部及び後端部を有する。少なくとも第１の磁石が、可撓部材の前端部に結合される。回収部材は、前端部及び後端部を有する。少なくとも１つの第２の磁石が、回収部材の前端部に結合される。発光部材は、可撓部材の前端部若しくは後端部のうちの少なくとも１つに結合され、又は回収部材の前端部若しくは後端部に結合される。発光部材は、少なくとも１つの第１又は第２の磁石のうちの１つ、及び第１の磁石が第２の磁石と接触する場合に発光部材が発光することを可能にするスイッチを有する電子回路に結合される。
【００２３】
システムは、また、可撓部材にしっかりと結合されたテープ部分を含み得る。可撓部材は、抗生物質の、静菌性の、若しくは抗菌性の被覆、親水性の被覆、又はそれらの組み合わせを含み得る。
【００２４】
発光部材は、ＬＥＤライトであり得、かつ蓄電池を更に備え得る。発光部材は、回収部材の後端部に結合され得る。少なくとも１つの第２の磁石は、回収部材の前端部において並列して設置される２つの磁石を備え得る。２つの磁石は、それらが互いに接触しないように互いから分離される。
【００２５】
システムは、可撓部材の患者の中への挿入の助けとなるために、可撓部材を硬くするために可撓部材の中へ挿入されるロッドを含み得る。
【００２６】
代替的な例示的発光設置システムは、その端部に結合された少なくとも１つの第１の磁石を有する第１のプローブ、及びその端部に結合された少なくとも１つの第２の磁石を有する第２のプローブを含む。発光部材は、第１及び第２のプローブのうちの１つに結合される。スイッチを有する電子回路は、発光部材に結合され、かつ少なくとも１つの第１の磁石又は少なくとも１つの第２の磁石に結合される。少なくとも１つの第１の磁石が、互いに結合するために、少なくとも１つの第２の磁石と接触すると、電子回路のスイッチは閉じられ、発光部材は発光する。
【００２７】
システムは、また、患者の鼻腔内での設置のために、第１又は第２のプローブのうちの１つと結合される可撓部分を含み得る。発光部材はＬＥＤランプであってもよい。少なくとも１つの第２の磁石は、第２のプローブの前端部において非接触な関係で並列して設置される２つの磁石を備え得る。発光部材は、第２のプローブの後端部において第２のプローブに結合され得、ワイヤーが２つの磁石から発光部材に延伸する。
【００２８】
第１のプローブは、可撓性を有し得、かつその端部に結合された１つの磁石を有し得る。第２のプローブは、実質的に硬直したものであり得、かつその端部に結合された２つの磁石を有し得る。２つの磁石は、それらが通常は接触しないように互いに関して位置決めされ得る。発光部材は、２つの磁石が設置された第２のプローブの端部と反対側の第２のプローブの端部に結合され得る。発光部材は、２つの磁石が位置決めされる第２のプローブの端部において第２のプローブに結合され得る。
【００２９】
患者の鼻腔の中へブライドルカテーテルを配置する方法は、可撓部材及び回収部材を提供することを含む。可撓部材は第１の端部及び第２の端部を有し、磁石が可撓部材の第１の端部に結合される。回収部材は、磁力を有する第１の端部、及び第１の端部が可撓部材の磁石と結合する場合に発光するように、磁力を有する第１の端部に作動可能に結合された発光部材を有する、第２の端部を有する。方法は、また、可撓部材の第１の端部を、患者の第１の鼻孔の中へ、かつ後部鼻咽頭の中へ挿入すること、及び回収部材の第１の端部を、患者の第２の鼻孔の中へ、かつ後部鼻咽頭の中へ、可撓部材の第１の端部が回収部材の第１の端部に磁気的に接続されたことを表示するために発光部材が発光するまで挿入することを含む。方法は、また、回収部材、及び可撓部材の少なくとも一部分を、第２の鼻孔から引き出し、かつ可撓部材の一部分が鼻腔内に残るように可撓部材を切断することを含む。
【００３０】
可撓部材は、第１の部分及び第２の部分を含み得、第２の部分は可撓部材の第２の端部におけるテープ部分である。方法は、また、テープ部分が鼻腔内に位置決めされるまで可撓部材の第１の部分の全体を第２の鼻孔から引き、かつテープ部分のみが鼻腔内に残るように第１の部分をテープ部分から切断することを含み得る。
【００３１】
方法は、また、可撓部材を鼻孔及び後部鼻咽頭の中へ設置するために、可撓部材の中へ挿入されるロッドの使用を含む。発光部材が発光した場合に、ロッドは可撓部材から除去される。それに加えて、可撓部材の両端部は互いに固定され得る。可撓部材は、また、別の装置に結合され得る。
【００３２】
本明細書において提供される実施例は、経鼻カテーテルの設置に向けられている。本明細書において説明された実施例は、第１の部材が第２の部材と接触する他の状況に等しく適用され、気道、胃腸管、胃袋などの他の領域において、又は例えば、他の領域への適用性の中でカテーテル縫合送達（ｃａｔｈｅｔｅｒ  ｓｕｔｕｒｅ  ｄｅｌｉｖｅｒｙ）に対して、使用することができることは、容易に理解されるだろう。代替的に、本明細書において説明された実施例は、ＬＥＤライトが磁力を有さない表面との接触に際して発光する実例において使用され得る。
【００３３】
他のタイプのブライドルシステムは、また、設置者に対して肯定的なフィードバックを提供するために、本明細書で説明された発光部材を使用してもよい。例えば、磁石を使用する任意の従来のブライドルシステムは、磁石が互いに係合して回路が閉じられた時に光を発するように、発光部材を含むことができる。これらの他のブライドルシステムは、同様に、例示的な発光ブライドルシステムとして本明細書に含まれ、かつ上述のブライドルシステムと同じ利益を発光部材から得ることができるだろう。
【００３４】
前に議論されたように、例示的なブライドルシステムは、また、鼻腔内でのブライドルの使用を長くし得る抗生物質又は他の被覆を組み込み得る。そのような抗生物質又は他の被覆は、鼻腔内にテープを設置するのに先立って臍テープに適用される。そのようなタイプは、他の既知の化合物の中で、抗生物質の化合物、静菌性の化合物、抗菌性の化合物、又はそれらの組み合わせを含む。
【００３５】
「実質的に」という用語は、本明細書で使用される場合に、概算的な用語である。
【００３６】
様々な特徴が上で提示された一方で、特徴は単独で、又はそれらの任意の組み合わせにおいて使用され得ることが理解されるべきである。更に、特許請求の範囲に含まれる変形例及び修正例が当業者によって発想され得ることは、理解されるべきである。本明細書において説明された実施例は例示的なものである。本開示は、特許請求の範囲において再び挙げられる要素に同様に対応する代替的な要素を有する代替的なデザインを、当業者が作成し、かつ使用することを可能にし得る。それ故、企図される範囲は、特許請求の範囲の文言とは異ならない、又は特許請求の範囲の文言から非実質的に異なる他の実施例を含み得る。本開示の範囲は、添付の特許請求の範囲内の説明にしたがって定義される。
【図１】
2016511112.tif 000003
【図２】
2016511112.tif 000004
【図３】
2016511112.tif 000005
【図４】
2016511112.tif 000006
【図５】
2016511112.tif 000007
【図６】
2016511112.tif 000008
【図７】
2016511112.tif 000009
【図８】
2016511112.tif 000010
【図９】
2016511112.tif 000011
【図１０】
2016511112.tif 000012
【図１１】
2016511112.tif 000013
【図１２】
2016511112.tif 000014
【図１３】
2016511112.tif 000015
【図１４】
2016511112.tif 000016
【図１５】
2016511112.tif 000017
【図１６】
2016511112.tif 000018
【国際調査報告】
2016511112.tif 000019
2016511112.tif 000020
2016511112.tif 000021